(57)【特許請求の範囲】
【請求項１】
放電極およびグラウンド電極を有するイオン発生部と、当該イオン発生部を覆うカバーとを備え、当該カバーにイオンを放出する開口部が形成された髪ケア装置において、
前記カバーに、当該カバーを髪ケア装置の内部に配置されて導電性材料によって構成された内側部材に接続する接続部を設け、
前記カバーに、前記グラウンド電極に接触する第二の突出部を設け、
前記接続部を、前記第二の突出部より前記開口部の中心から離れた位置に設けたことを特徴とする髪ケア装置。
【請求項２】
前記接続部と前記内側部材とを電気的に接続する接続部材を設けたことを特徴とする請求項１に記載の髪ケア装置。
【請求項３】
前記接続部は前記カバーから前記内側部材側に張り出す突出部として構成され、
前記突出部の先端を外方から取り囲むように前記接続部材を取り付けたことを特徴とする請求項２に記載の髪ケア装置。
【請求項４】
前記イオン発生部の動作時において、前記接続部材の表面抵抗値が前記内側部材の表面抵抗値以上となり、前記カバーの表面抵抗値が前記接続部材の表面抵抗値以上となるようにしたことを特徴とする請求項２または３に記載の髪ケア装置。
【請求項５】
前記内側部材をグラウンド接続したことを特徴とする請求項１〜４のうちいずれか一つに記載の髪ケア装置。
【請求項６】
前記カバー、ならびに前記開口部よりイオン放出側に位置する部材の表面抵抗値を、前記イオン発生部の動作時において、０．５×１０１２［Ω］以上かつ４．５×１０１２［Ω］以下となるようにしたことを特徴とする請求項１〜５のうちいずれか一つに記載の髪ケア装置。
【請求項７】
放電極およびグラウンド電極を有するイオン発生部と、当該イオン発生部を覆うカバーとを備え、当該カバーにイオンを放出する開口部が形成された髪ケア装置において、
前記カバーと当該カバーの近傍に配置された当該カバーとは別の部材とを電気的に接続して当該カバーを除電する接続部材を設けたことを特徴とする髪ケア装置。
【発明の詳細な説明】
【技術分野】
【０００１】
本発明は、髪ケア装置に関する。
【背景技術】
【０００２】
従来、放電極およびグラウンド電極を有するイオン発生部と、当該イオン発生部を覆うカバーとを備え、当該カバーにイオンを放出する開口部が形成された髪ケア装置が知られている（例えば特許文献１）。
【０００３】
特許文献１の髪ケア装置では、カバーの帯電によるイオンの排出性能の低下を抑制するため、カバーをグラウンド電極（対向電極）に接触させて除電するようにしてある。
【特許文献１】特開２００８−０２９８１３号公報
【発明の開示】
【発明が解決しようとする課題】
【０００４】
しかしながら、イオンの排出性能の更なる向上を図るには、カバーをより一層除電することが望ましく、発明者は、この点について鋭意検討を重ね、カバーをより効率良く除電することが可能な新規な構成を見出すに至った。
【０００５】
すなわち、本発明は、カバーを除電することが可能な新規な構成の髪ケア装置を得ることを目的とする。
【課題を解決するための手段】
【０００６】
請求項１の発明にあっては、放電極およびグラウンド電極を有するイオン発生部と、当該イオン発生部を覆うカバーとを備え、当該カバーにイオンを放出する開口部が形成された髪ケア装置において、上記カバーに、当該カバーを髪ケア装置の内部に配置されて導電性材料によって構成された内側部材に接続する接続部を設け、前記カバーに、前記グラウンド電極に接触する第二の突出部を設け、前記接続部を、前記第二の突出部より前記開口部の中心から離れた位置に設けたことを特徴とする。
【０００７】
請求項２の発明にあっては、上記接続部と上記内側部材とを電気的に接続する接続部材を設けたことを特徴とする。
【０００８】
請求項３の発明にあっては、上記接続部は上記カバーから上記内側部材側に張り出す突出部として構成され、上記突出部の先端を外方から取り囲むように上記接続部材を取り付けたことを特徴とする。
【０００９】
請求項４の発明にあっては、上記イオン発生部の動作時において、上記接続部材の表面抵抗値が上記内側部材の表面抵抗値以上となり、上記カバーの表面抵抗値が上記接続部材の表面抵抗値以上となるようにしたことを特徴とする。
【００１１】
請求項５の発明にあっては、上記内側部材をグラウンド接続したことを特徴とする。
【００１２】
請求項６の発明にあっては、上記カバー、ならびに上記開口部よりイオン放出側に位置する部材の表面抵抗値を、上記イオン発生部の動作時において、０．５×１０１２［Ω］以上かつ４．５×１０１２［Ω］以下となるようにしたことを特徴とする。
【００１３】
請求項７の発明にあっては、放電極およびグラウンド電極を有するイオン発生部と、当該イオン発生部を覆うカバーとを備え、当該カバーにイオンを放出する開口部が形成された髪ケア装置において、上記カバーと当該カバーの近傍に配置された当該カバーとは別の部材とを電気的に接続して当該カバーを除電する接続部材を設けたことを特徴とする。
【発明の効果】
【００１４】
請求項１の発明によれば、カバーに帯電した電荷を、接続部を介して内側部材に逃がし
て、カバーを除電することができる。また、請求項１の発明によれば、開口部に近い部分については第二の突出部を経由して除電し、開口部から離れた部分については接続部および内側部材を経由して除電することができるので、除電能力をより一層向上することができる。
【００１５】
請求項２の発明によれば、接続部材を設けたことで、接続部と内側部材との接触抵抗を減らして、除電能力を高めることができる。
【００１６】
請求項３の発明によれば、接続部材を突出部に比較的容易に取り付けることができるとともに、接続部材を突出部により確実に固定することができる。
【００１７】
請求項４の発明によれば、イオン発生部の動作時において、表面抵抗値をカバー側ほど高く設定することで、電荷を逃がしやすくして、除電能力を高めることができる。
【００１９】
請求項５の発明によれば、内側部材からの除電能力を高め、ひいてはカバーからの除電能力を高めることができる。
【００２０】
請求項６の発明によれば、イオン発生部の動作時において、開口部よりイオンの放出側に配置される部材の表面抵抗値を適切に設定することで、除電能力を高めることができる。
【００２１】
請求項７の発明によれば、カバーに帯電した電荷を、接続部材を介してカバーとは別の部材に逃がすことで、カバーを除電することができる。
【発明を実施するための最良の形態】
【００２２】
以下、本発明の実施形態について図面を参照しながら詳細に説明する。なお、以下の複数の実施形態には、同様の構成要素が含まれている。よって、以下では、それら同様の構成要素については共通の符号を付与するとともに、重複する説明を省略する。
【００２３】
（第１実施形態）図１は、本実施形態にかかる髪ケア装置としてのヘアドライヤの内部構成を示す側面図（一部断面図）、図２は、図１の一部を拡大した図、また図３は、カバーならびに開口部のイオン放出側に位置する部材の表面抵抗値とイオン排出効率との相関関係の一例を示すグラフである。
【００２４】
図１に示すように、本実施形態にかかる髪ケア装置としてのヘアドライヤ１は、本体部２とハンドル部３とが略Ｔ字状に結合された形状を有している。なお、ハンドル部３は、回動部Ｒを屈曲の基点として折り畳み可能となっている。図１は、ハンドル部３を伸展させた状態を示している。
【００２５】
本体部２のケーシング２ａは、断面略アーチ状の左右勝手違いの分割体同士を突き合わせて略筒状に形成されている。このケーシング２ａの筒内には、吸込口４ａから吹出口４ｂに至る空気通路４が形成される。空気通路４には、電動モータや軸流ファンを含む送風部５が設けられており、電動モータによって軸流ファンを回転させることで、空気通路４内に吸込口４ａから吹出口４ｂに至る空気流が生成される。また、空気通路４の下流側にはヒータ６を設け、加熱された温風を吹出口４ｂから吹き出せるようにしてある。この吹出口４ｂの先には、ノズル１４を着脱可能に取り付けてある。そして、本体部２内には、イオン発生部７を設け、排出口７ａからイオン（ミスト）を排出できるようにしてある。
【００２６】
ハンドル部３のハンドルケーシング３ａは、断面略アーチ状の左右勝手違いの分割体同士を突き合わせて形成されている。このハンドルケーシング３ａ内には、リード線９ｂが配索されている。また、ハンドル部３の長手方向中間部には、操作スイッチ８が設けられている。電源コード９は、本実施形態では二本のリード線９ａを隣接して並べた扁平な形状となっている。電源コード９は、ハンドル部３の先端部のハンドルケーシング３ａに形成した貫通孔３ｂから外部に引き出され、その引き出される部分をブッシング１０で被覆してある。
【００２７】
イオン発生部７は、針状に形成される放電極７ｂと、その周囲を間隔をあけて取り囲むように配置される環状のグラウンド電極７ｃと、を備えており、放電極７ｂとグラウンド電極７ｃとの間に高電圧を印加させる。また、イオン発生部７は、ペルチェ素子等からなる冷却部を備えており、この冷却部によって空気中の水分を放電極７ｂに結露させ、この結露した水分を高電圧の印加に伴う放電によってレイリー分裂させて、マイナスに帯電した水の帯電微粒子（イオン）を生成する。こうして生成されたイオンを、空気通路４内の空気流を一部分岐した空気分流等を利用して放出する。
【００２８】
そして、このイオン発生部７は高電圧となるため、本体部２には、手指等がイオン発生部７に入り込むのを防止すべく、イオン発生部７の放出側を覆うカバー１５を設けてある。このカバー１５は、板状の被覆部１５ａを備え、当該被覆部１５ａに形成された開口部１５ｂからイオンが放出されることになる。図１および図２では、イオンの放出方向は右方向となる。
【００２９】
カバー１５は、イオンによって帯電するため、カバー１５を除電するための構成を設けてある。その一つとして、開口部１５ｂの周囲には、被覆部１５ａからイオン発生部７側に突出させてその先端をグラウンド電極７ｃに接触させた突出部１５ｄを複数設けてある。この突出部１５ｄは本発明の第二の突出部に相当するものである。
【００３０】
これに加えて、本実施形態では、突出部１５ｄより開口部１５ｂの中心から離れた位置からイオン発生部７側に向けて突出する突出部１５ｃを設け、この突出部１５ｃを外筐をなすケーシング２ａ内に配置される内側部材１６に接続してある。この突出部１５ｃは本発明の接続部に相当するものである。
【００３１】
本実施形態では、この突出部１５ｃを、被覆部１５ａの周縁部から内側部材１６に向けて張り出す板状部分として形成してある。そして、その張り出した板状部分の先端部を、その外側から略Ｃ字状に表裏に亘って取り囲むように接続部材１８を取り付け、この接続部材１８を突出部１５ｃと内側部材１６との間に介在させてある。具体的には、内側部材１６のカバー１５側の角部に、接続部材１８を取り付けた突出部１５ｃを受け入れるステップ状の受容部１６ａを設け、この受容部１６ａの略平坦面として形成された底面上に、接続部材１８を取り付けた突出部１５ｃの表面（開口部１５ｂの反対側の表面）を載置する。そして、受容部１６ａと突出部１５ｃとの間に適宜な接触圧力が生じるようにする。
【００３２】
接続部材１８は、例えばアルミニウム金属等の導電性材料によって、板状部材や、テープとして構成することができる。特に、貼着剤や接着剤を塗布した導電性材料のテープ（例えばアルミテープ等）とした場合には、接続部材１８を固定するための構成や部品等を省略できるため、構成をより簡素化できる。また、突出部１５ｃの先端部にテープの中央部を突き当てて表裏に沿わせるなど、極めて簡単な工程によって取り付けを行うことが可能となる。
【００３３】
内側部材１６は、空気通路４を形成する筒状部分の一部、または当該筒状部分に取り付けられた部材として構成されている。この内側部材１６は、カバー１５の近傍に配置されたカバー１５とは別の部材に相当するものである。また、本実施形態では、この内側部材１６を、イオン発生部７を実装する基板１７を支持する部材としても利用している。
【００３４】
そして、上記構成では、イオン発生部７の動作時において、接続部材１８の表面抵抗値Ｒｎが内側部材１６の表面抵抗値Ｒｉ以上となり、カバー１５の表面抵抗値Ｒｖが接続部材１８の表面抵抗値Ｒｃ以上となるように設定する（Ｒｖ≧Ｒｎ≧Ｒｉ）のが好適である。こうすることで、イオン発生部７の動作時において、電荷を逃がす経路の表面抵抗値をカバー側ほど高く設定することで、電荷を逃がしやすくして、除電能力を高めることができる。具体的な調整は、材質の設定やスペック（形状等）の調整によって行うことができる。例えば、接続部材１８を、比較的導電性の高い樹脂素材（例えばＡＢＳ樹脂等）によって構成し、カバー１５は、比較的導電性の低い樹脂素材（例えばポリカーボネート樹脂等）によって構成する。
【００３５】
また、上記構成では、発明者の鋭意研究により、図３に示すように、カバー１５、ならびに開口部１５ｂよりイオン放出側（すなわち図１および図２の右側）に位置する部材としてのノズル１４の表面抵抗値Ｒｏを、イオン発生部７の動作時において、０．５×１０１２［Ω］以上かつ４．５×１０１２［Ω］以下となるように設定するのが好適であることが判明した。これは、表面抵抗値Ｒｏが低すぎると、放出されたイオンがカバー１５やノズル１４に引っ張られて、所望領域に到達しにくくなる一方、表面抵抗値Ｒｏが高すぎると、カバー１５やノズル１４の帯電による反発力が高くなって、イオンの開口部１５ｂからの放出が低減することによるものであると推定できる。
【００３６】
以上説明したように、本実施形態では、カバー１５に、当該カバー１５を髪ケア装置としてのヘアドライヤ１の内部に配置された内側部材１６に接続する接続部として、突出部１５ｃを設けた。カバー１５はマイナスの電荷に帯電して電位が最も低い状態となっており、カバー１５以外の部材に接続することで、除電経路を形成することができる。したがって、本実施形態によれば、カバー１５に帯電した電荷を、突出部１５ｃを介して内側部材１６に逃がして、カバー１５を除電することができる。また、突出部１５ｃから内側部材１６に接続することにより、帯電量が比較的多い被覆部１５ａからの除電経路をよりコンパクトな構成として得やすくなるという利点がある。
【００３７】
また、本実施形態では、接続部としての突出部１５ｃと内側部材１６とを電気的に接続する接続部材１８を設けた。このように接続部材１８を設けた分、突出部１５ｃと内側部材１６との接触抵抗を減らして、除電能力を高めることができる。
【００３８】
また、本実施形態では、接続部をカバー１５から内側部材１６側に張り出す突出部１５ｃとして構成し、当該突出部１５ｃの先端を外方から取り囲むように接続部材１８を取り付けた。よって、接続部材１８を接続部としての突出部１５ｃに比較的容易に取り付けることができるとともに、接続部材１８を突出部１５ｃにより確実に固定することができる。
【００３９】
また、本実施形態では、イオン発生部７の動作時において、接続部材１８の表面抵抗値Ｒｎが内側部材１６の表面抵抗値Ｒｉ以上となり、カバー１５の表面抵抗値Ｒｖが接続部材１８の表面抵抗値Ｒｃ以上となるようにした（Ｒｖ≧Ｒｎ≧Ｒｉ）。このように、イオン発生部７の動作時において、表面抵抗値をカバー１５側ほど高く設定することで、電荷を逃がしやすくして、除電能力を高めることができる。
【００４０】
また、本実施形態では、カバー１５に、グラウンド電極７ｃに接触する第二の突出部１５ｄを設け、接続部としての突出部１５ｃを、第二の突出部１５ｄより開口部１５ｂの中心から離れた位置に設けた。よって、開口部１５ｂに近い部分については第二の突出部１５ｄを経由して除電し、開口部１５ｂから離れた部分については突出部１５ｃおよび内側部材１６を経由して除電することができるので、除電能力をより一層向上することができる。
【００４１】
また、本実施形態では、カバー１５、ならびに開口部１５ｂよりイオン放出側に位置する部材としてのノズル１４の表面抵抗値Ｒｏを、イオン発生部７の動作時において、０．５×１０１２［Ω］以上かつ４．５×１０１２［Ω］以下となるように設定した。このように、イオン発生部７の動作時において、開口部１５ｂよりイオンの放出側に配置される部材の表面抵抗値を適切に設定することで、除電能力を高めることができる。すなわち、当該表面抵抗値が低すぎる場合におけるイオンの吸引と、表面値が高すぎる場合における帯電電荷による反発と、を抑制して、イオンの所期の領域への排出性能を確保することができる。
【００４２】
（第２実施形態）図４は、本実施形態にかかる髪ケア装置としてのヘアドライヤの内部構成を示す側面図（一部断面図）である。
【００４３】
本実施形態にかかる髪ケア装置としてのヘアドライヤ１Ａでは、グラウンド電位となっているリード線９ｈによって内側部材１６をグラウンド接続した点が上記第１実施形態と相違している。かかる構成により、内側部材１６からの除電能力をより一層高めて、ひいてはカバー１５からの除電能力をより一層高めることができる。
【００４４】
なお、上記相違点以外の構成は上記第１実施形態と同じである。このため、上記効果に加えて、上記第１実施形態と同様の効果を得ることができる。
【００４５】
また、内側部材１６をグラウンド接続するにあたっては、内側部材１６を図示しないリード線等からなる導電経路を介して基板１７のグラウンド電極に接続するようにしてもよい。基板１７は、グラウンド電位となっているリード線９ｇによってグラウンド電極がグラウンド接続されているため、基板１７と内側部材１６とでリード線を共用することが可能となる。
【００４６】
（第３実施形態）図５は、本実施形態にかかる髪ケア装置としてのヘアアイロンの内部構成を示す側面図（一部断面図）、図６は、図５の一部を拡大した図である。
【００４７】
図５に示すように、本実施形態にかかる髪ケア装置としてのヘアアイロン１Ｂは、回動部Ｒを屈曲基点として相対回動する本体部２Ｂ１，２Ｂ２を備えており、それらの先端部に設けた加熱挟持部１９，１９の間に髪を挟んで加熱等することで整髪するものである。
【００４８】
本体部２Ｂ１内には、上記第１実施形態のものと基本的には同様の構成となるイオン発生部７Ｂが設けられている。イオン発生部７Ｂは、放電極７ｂとグラウンド電極７ｃとの間に高電圧発生回路７ｅを用いて高電圧を印加し、イオン発生部７Ｂを覆うカバー１５Ｂの開口部１５ｂから本体部２Ｂ１の外へイオンを放出する。なお、高電圧発生回路７ｅは、リード線７ｄを介して放電極７ｂと電気的に接続してある。
【００４９】
ここで、本実施形態では、図６に示すように、カバー１５Ｂの被覆部１５ａと本体部２Ｂ１のケーシング２ａとを電気的に接続して被覆部１５ａ（カバー１５Ｂ）を除電する接続部材１８Ｂを設けてある。本実施形態では、接続部材１８Ｂはアルミニウム合金等の導電性材料からなる板状部材として構成され、被覆部１５ａの内面に固着され、ケーシング２ａ側の先端部を当該ケーシング２ａと当接させてある。
【００５０】
よって、上記構成の本実施形態によれば、カバー１５Ｂに帯電した電荷を、接続部材１８Ｂを介して、カバー１５Ｂの近傍に配置された当該カバー１５Ｂとは別の部材としてのケーシング２ａに逃がすことで、カバー１５Ｂを除電することができる。
【００５１】
また、本実施形態では、接続部材１８Ｂによるカバー１５Ｂからの除電経路とは別に、イオン発生部７Ｂのグラウンド電極７ｃに接触するリブ１５ｅによってカバー１５Ｂからの除電経路が確保してある。かかる構成とすることで、被覆部１５ａを挟んで両側に除電経路が形成されることになって、除電効率をより一層向上させることができる。
【００５２】
そして、本実施形態でも、カバー１５Ｂ、接続部材１８Ｂ、およびケーシング２ａ（接続部材１８Ｂが接触する部分）について、イオン発生部７Ｂの動作中における表面抵抗値を、カバー１５Ｂ側ほど高く設定する（当接するもの同士が同値となる状態を含む）のが好適である。
【００５３】
（第４実施形態）図７は、本実施形態にかかる髪ケア装置としてのヘアブラシの内部構成を示す側面図（一部断面図）、図８は、図７の一部を拡大した図である。
【００５４】
図７に示すように、本実施形態にかかる髪ケア装置としてのヘアブラシ１Ｃは、回動部Ｒを屈曲基点として相対回動する本体部２Ｃ１，２Ｃ２を備えている。本体部２Ｃ１の先端部にはブリッスル２０ａを有するブラシ部２０を設けてある。
【００５５】
本体部２Ｃ１内には、上記第１実施形態のものと基本的には同様の構成となるイオン発生部７Ｃが設けられている。イオン発生部７Ｃは、放電極７ｂとグラウンド電極７ｃとの間に高電圧発生回路７ｅを用いて高電圧を印加し、イオン発生部７Ｃを覆うカバー１５Ｃの開口部１５ｂから本体部２Ｃ１の外へイオンを放出する。
【００５６】
ここで、本実施形態では、図８に示すように、カバー１５Ｃの被覆部１５ａと本体部２Ｃ１のケーシング２ａとを電気的に接続して被覆部１５ａ（カバー１５Ｃ）を除電する接続部材１８Ｃを設けてある。本実施形態では、接続部材１８Ｃはアルミニウム合金等の導電性材料からなる板状部材として構成され、被覆部１５ａおよびケーシング２ａの双方の内面にこれらを架橋するように固着されている。
【００５７】
よって、上記構成の本実施形態によれば、カバー１５Ｃに帯電した電荷を、接続部材１８Ｃを介して、カバー１５Ｃの近傍に配置された当該カバー１５Ｃとは別の部材としてのケーシング２ａに逃がすことで、カバー１５Ｃを除電することができる。
【００５８】
そして、本実施形態でも、カバー１５Ｃ、接続部材１８Ｃ、およびケーシング２ａ（接続部材１８Ｃが接触する部分）について、イオン発生部７Ｃの動作中における表面抵抗値を、カバー１５Ｃ側ほど高く設定する（当接するもの同士が同値となる状態を含む）のが好適である。
【００５９】
以上、本発明の好適な実施形態について説明したが、本発明は上記実施形態には限定されず種々の変形が可能である。例えば、上記実施形態で開示した以外でもイオン発生部を装備してそれを被覆するカバーを設けた髪ケア装置としても本発明を実施することができる。
【００６０】
また、接続部材を内側部材およびケーシングとは別の部材に接続してもよい。
【図面の簡単な説明】
【００６１】
【図１】本発明の第１実施形態にかかる髪ケア装置としてのヘアドライヤの内部構成を示す側面図（一部断面図）である。
【図２】図１の一部を拡大した図である。
【図３】本実施形態にかかる髪ケア装置のカバーならびに開口部のイオン放出側に位置する部材の表面抵抗値とイオン排出効率との相関関係の一例を示すグラフである。
【図４】本発明の第２実施形態にかかる髪ケア装置としてのヘアドライヤの内部構成を示す側面図（一部断面図）である。
【図５】本発明の第３実施形態にかかる髪ケア装置としてのヘアアイロンの内部構成を示す側面図（一部断面図）である。
【図６】図５の一部を拡大した図である。
【図７】本発明の第４実施形態にかかる髪ケア装置としてのヘアブラシの内部構成を示す側面図（一部断面図）である。
【図８】図７の一部を拡大した図である。
【符号の説明】
【００６２】
１，１Ａ  ヘアドライヤ（髪ケア装置）
１Ｂ  ヘアアイロン（髪ケア装置）
１Ｃ  ヘアブラシ（髪ケア装置）
７，７Ｂ，７Ｃ  イオン発生部
７ｂ  放電極
７ｃ  グラウンド電極
１４  ノズル（開口部よりイオン放出側に位置する部材）
１５，１５Ｂ，１５Ｃ  カバー
１５ｂ  開口部
１５ｃ  突出部（接続部）
１５ｄ  突出部（第二の突出部）
１６  内側部材
１８，１８Ｂ，１８Ｃ  接続部材
【図１】
0005123729.tif 000002
【図２】
0005123729.tif 000003
【図３】
0005123729.tif 000004
【図４】
0005123729.tif 000005
【図５】
0005123729.tif 000006
【図６】
0005123729.tif 000007
【図７】
0005123729.tif 000008
【図８】
0005123729.tif 000009